(57)【要約】  【課題】  電源コードがキャスタにより踏まれたり、巻き込まれたりして、電源コードや電源入力コネクタが破損することを簡単な構造で防止する。  【解決手段】  機器本体１の背面下方の２つのキャスタ２の間には、コネクタ（オス）が水平方向に向くように電源入力コネクタ３が設けられ、電源コード４の一端にはライトアングル型プラグ４ｂ（メス）が設けられている。機器本体の背面下方の電源入力コネクタの上方には、ライトアングル型プラグから上を向いた電源コードが当接して電源コードを２つのキャスタの間にガイドするように斜め下方に向いた傾斜部１０が設けられている。【選択図】  図１
2005222763.tif 000002
【特許請求の範囲】
【請求項１】
キャスタにより床面上を移動可能なキャスタ付き機器の側面下方であって前記キャスタの近傍において差し込み方向が水平になるように取り付けられた電源入力コネクタと、
電源コードの一端において前記電源入力コネクタとの前記差し込み方向が水平になるように、かつ前記電源コードの引き出し方向が上になるように取り付けられたライトアングル型プラグと、
前記プラグから上を向いた前記電源コードを前記機器の移動時に前記キャスタに近接しないようにガイドするガイド部材とを、
備えたキャスタ付き機器の電源コード取り付け装置。
【請求項２】
前記ガイド部材は、前記機器本体の側面下方の前記電源入力コネクタの上方に設けられ、前記プラグから上を向いた前記電源コードが当接して前記電源コードを２つのキャスタの間にガイドする傾斜面である請求項１に記載のキャスタ付き機器の電源コード取り付け装置。
【請求項３】
前記ガイド部材は、前記機器本体の側面下方の前記電源入力コネクタの上方に設けられ、前記プラグから上を向いた前記電源コードを係止して２つのキャスタの間にガイドする係止部材である請求項１に記載のキャスタ付き機器の電源コード取り付け装置。
【請求項４】
前記ガイド部材は、前記機器本体の側面下方の前記キャスタの上方に設けられ、前記プラグから上を向いた前記電源コードを係止して前記キャスタから離れる方向にガイドする係止部材である請求項１に記載のキャスタ付き機器の電源コード取り付け装置。
【請求項５】
キャスタにより床面上を移動可能なキャスタ付き機器の側面下方であって２つのキャスタの間において差し込み方向が上になるように取り付けられた電源入力コネクタと、
電源コードの一端において前記電源入力コネクタとの差し込み方向が下になるように、かつ前記電源コードの引き出し方向が前記２つのキャスタの間において水平になるように取り付けられたライトアングル型プラグとを、
備えたキャスタ付き機器の電源コード取り付け装置。
【発明の詳細な説明】
【技術分野】
【０００１】
本発明は、キャスタにより床面上を移動可能なキャスタ付き機器の電源コード取り付け装置に関する。
【背景技術】
【０００２】
電気・電子機器では、商用電源を機器本体に供給するための電源コードは、機器本体に対して着脱自在なことが一般的である。また、電気・電子機器の一例として、超音波診断装置などのように医者などの操作者が床面上を移動しながら使用する医療機器では、機器本体にはキャスタが取り付けられ、また、電源コードは床面に配置されるように設けられる。
【０００３】
図５はそのような従来の機器を斜め背面から見た外観図を示し、機器本体１の下面には４輪のキャスタ２が取り付けられている。また、機器本体１の電源回路は他の回路より重く、また、移動の際の安定化のために機器本体１の下方に設けられるので、機器本体１側の電源入力コネクタ３（オス）は機器本体１の背面下方に設けられるのが一般的である。そして、電源コード４は機器本体１の背面下方から水平方向に延びて床面に配置されるように、この電源入力コネクタ３に電源コード４のストレート型プラグ４ａ（メス）が接続される。
【０００４】
また、他の従来例として下記の特許文献１には、キャスタ付きオフィスチェアから引き出された電源コードがオフィスチェアの移動時にキャスタにより踏まれたり、巻き込まれることを防止するために、オフィスチェア回転軸から径方向外側に向かってキャスタの外側まで延設した部材により電源コードをガイドする方法が開示されている。
【特許文献１】特開２００２−１２５７８６号公報（図１、図３〜５）
【発明の開示】
【発明が解決しようとする課題】
【０００５】
しかしながら、図５に示す従来例では、電源コード４がキャスタ付き機器本体１の背面下方から水平方向に延びて床面に配置されるので、電源コード４は必然的に２つのキャスタ２の間に配置されることになり、このため、機器本体１を移動する際に電源コード４が２つのキャスタ２のどちらか一方により踏まれたり、巻き込まれたりして、電源コード４や電源入力コネクタ３が破損するという問題点がある。ここで、この問題点を解決する手段として、電源コード４のストレート型プラグ４ａの代わりに、電源コード４が上を向くようにライトアングル型プラグを使用することが考えられるが、ユーザが機器本体１を何回も移動すると、やはり電源コード４が２つのキャスタ２のどちらか一方により踏まれたり、巻き込まれるおそれがある。
【０００６】
また、特許文献１に示す従来例では、オフィスチェア回転軸から径方向外側に向かってキャスタの外側まで延設した部材が大がかりとなるという問題点がある。
【０００７】
本発明は上記従来例の問題点に鑑み、キャスタ付き機器を移動する際に電源コードがキャスタにより踏まれたり、巻き込まれたりして、電源コードや電源入力コネクタが破損することを簡単な構造で防止することができるキャスタ付き機器の電源コード取り付け装置を提供することを目的とする。
【課題を解決するための手段】
【０００８】
本発明は上記目的を達成するために、キャスタにより床面上を移動可能なキャスタ付き機器の側面下方であって前記キャスタの近傍において差し込み方向が水平になるように取り付けられた電源入力コネクタと、
電源コードの一端において前記電源入力コネクタとの前記差し込み方向が水平になるように、かつ前記電源コードの引き出し方向が上になるように取り付けられたライトアングル型プラグと、
前記プラグから上を向いた前記電源コードを前記機器の移動時に前記キャスタに近接しないようにガイドするガイド部材とを、
備えた構成とした。
この構成により、ライトアングル型プラグから上を向いた電源コードを機器の移動時にキャスタに近接しないようにガイドするので、電源コードがキャスタにより踏まれたり、巻き込まれたりして、電源コードや電源入力コネクタが破損することを簡単な構造で防止することができる。
【０００９】
また本発明は、前記ガイド部材が、前記機器本体の側面下方の前記電源入力コネクタの上方に設けられ、前記プラグから上を向いた前記電源コードが当接して前記電源コードを２つのキャスタの間にガイドする傾斜面である構成とした。
この構成により、電源コードがキャスタにより踏まれたり、巻き込まれたりして、電源コードや電源入力コネクタが破損することを簡単な構造で防止することができる。
【００１０】
また本発明は、前記ガイド部材が、前記機器本体の側面下方の前記電源入力コネクタの上方に設けられ、前記プラグから上を向いた前記電源コードを係止して２つのキャスタの間にガイドする係止部材である構成とした。
この構成により、電源コードがキャスタにより踏まれたり、巻き込まれたりして、電源コードや電源入力コネクタが破損することを簡単な構造で防止することができる。
【００１１】
また本発明は、前記ガイド部材が、前記機器本体の側面下方の前記キャスタの上方に設けられ、前記プラグから上を向いた前記電源コードを係止して前記キャスタから離れる方向にガイドする係止部材である構成とした。
この構成により、電源コードがキャスタにより踏まれたり、巻き込まれたりして、電源コードや電源入力コネクタが破損することを簡単な構造で防止することができる。
【００１２】
また本発明は、キャスタにより床面上を移動可能なキャスタ付き機器の側面下方であって２つのキャスタの間において差し込み方向が上になるように取り付けられた電源入力コネクタと、
電源コードの一端において前記電源入力コネクタとの差し込み方向が下になるように、かつ前記電源コードの引き出し方向が前記２つのキャスタの間において水平になるように取り付けられたライトアングル型プラグとを、
備えた構成とした。
この構成により、電源コードがキャスタにより踏まれたり、巻き込まれたりして、電源コードや電源入力コネクタが破損することを簡単な構造で防止することができる。
【発明の効果】
【００１３】
本発明によれば、電源コードがキャスタにより踏まれたり、巻き込まれたりして、電源コードや電源入力コネクタが破損することを簡単な構造で防止することができる。
【発明を実施するための最良の形態】
【００１４】
以下、図面を参照して本発明の実施の形態について説明する。
＜第１の実施の形態＞
図１は本発明に係るキャスタ付き機器の電源コード取り付け装置の第１の実施の形態を斜め背面から見た外観図である。図１において、機器本体１の背面下方の２つのキャスタ２の間には、オスコネクタが水平方向に向くように電源入力コネクタ３が設けられ、また、電源コード４の一端にはライトアングル型プラグ４ｂ（メス）が設けられている。このため、ライトアングル型プラグ４ｂのメスコネクタ側は水平方向に電源入力コネクタ３に接続され、ライトアングル型プラグ４ｂの電源コード引き出し側では電源コード４は上を向く。さらに、機器本体１の背面下方の電源入力コネクタ３の上方には、ライトアングル型プラグ４ｂから上を向いた電源コード４が当接して電源コード４を２つのキャスタ２の間にガイドするように斜め下方に向いた傾斜部１０が設けられている。
【００１５】
このような構成によれば、機器本体１を移動する際に、ライトアングル型プラグ４ｂから上を向いた電源コード４が傾斜部１０に当接して２つのキャスタ２の間にガイドされるので、キャスタ２により踏まれたり、巻き込まれたりすることがなく、電源コード４や電源入力コネクタ３が破損することを簡単な構造で防止することができる。
【００１６】
＜第２の実施の形態＞
図２は本発明に係るキャスタ付き機器の電源コード取り付け装置の第２の実施の形態を斜め背面から見た外観図である。図２では、機器本体１の背面下方の電源入力コネクタ３の上方には、傾斜部１０の代わりに、ライトアングル型プラグ４ｂから上を向いた電源コード４を係止して２つのキャスタ２の間にガイドするようにＬ字型のコード係止部１１が設けられている。他の構成は、図１と同じであるので、説明を省略する。
【００１７】
このような構成によれば、機器本体１を移動する際に、ライトアングル型プラグ４ｂから上を向いた電源コード４がコード係止部１１により係止されて２つのキャスタ２の間にガイドされるので、キャスタ２により踏まれたり、巻き込まれたりすることがなく、電源コード４や電源入力コネクタ３が破損することを簡単な構造で防止することができる。
【００１８】
＜第３の実施の形態＞
図３は本発明に係るキャスタ付き機器の電源コード取り付け装置の第３の実施の形態を斜め背面から見た外観図である。図３では、機器本体１は、キャスタ２が取り付けられた台座１２の上に載せられ、台座１２の電源入力コネクタ３を挟む後方の２つのキャスタ２の上方には、上を向いた電源コード４を係止して各キャスタ２の外側にガイドするようにＬ字型のコード係止部１２ａ、１２ｂが設けられている。他の構成は、図１と同じであるので、説明を省略する。
【００１９】
このような構成によれば、機器本体１が超音波診断装置などの場合、商用電源のアウトレットの位置や、患者に対する機器本体１の向きに応じて、電源コード４がキャスタ２により踏まれたり、巻き込まれたりすることがないようにコード係止部１２ａ、１２ｂの一方を選択して電源コード４を係止することができる。なお、コード係止部１２ａ、１２ｂは、台座１２側の代わりに機器本体１側に設けてもよい。
【００２０】
＜第４の実施の形態＞
ところで、機器本体１が超音波診断装置などの医療機器の場合、安全規格上、電源入力コネクタ３は感電防止のために水などが溜まらないように上を向いていてはならないなど規制があるので、上記の第１〜第３の実施の形態を適用すべきである。上述のような規制が適用されない機器本体１を第４の実施の形態として図４に示す。電源入力コネクタ３はキャスタ２の上方において上を向くように機器本体１に配置されている。そして、電源コード４のライトアングル型プラグ４ｂ（メス）が電源入力コネクタ３に接続される。
【００２１】
このような構成によれば、ライトアングル型プラグ４ｂのメス側は下方を向いて電源入力コネクタ３に接続され、ライトアングル型プラグ４ｂの電源コードの引き出し側では電源コード４は水平方向に配置されるがキャスタ２の上方に配置されるので、電源コード４がキャスタ２により踏まれたり、巻き込まれたりすることがなく、電源コード４や電源入力コネクタ３が破損することを簡単な構造で防止することができる。
【産業上の利用可能性】
【００２２】
本発明によれば、電源コードがキャスタにより踏まれたり、巻き込まれたりして、電源コードや電源入力コネクタが破損することを簡単な構造で防止することができるので、キャスタ付きの超音波診断装置などに利用することができる。
【図面の簡単な説明】
【００２３】
【図１】本発明に係るキャスタ付き機器の電源コード取り付け装置の第１の実施の形態を斜め背面から見た外観図
【図２】本発明に係るキャスタ付き機器の電源コード取り付け装置の第２の実施の形態を斜め背面から見た外観図
【図３】本発明に係るキャスタ付き機器の電源コード取り付け装置の第３の実施の形態を斜め背面から見た外観図
【図４】本発明に係るキャスタ付き機器の電源コード取り付け装置の第４の実施の形態を斜め背面から見た外観図
【図５】従来のキャスタ付き機器の電源コード取り付け装置を斜め背面から見た外観図
【符号の説明】
【００２４】
１  機器本体
２  キャスタ
３  電源入力コネクタ
４  電源コード
４ｂ  ライトアングル型プラグ
１０  傾斜部
１１、１２ａ、１２ｂ  コード係止部
１２  台座
【図１】
2005222763.tif 000003
【図２】
2005222763.tif 000004
【図３】
2005222763.tif 000005
【図４】
2005222763.tif 000006
【図５】
2005222763.tif 000007